(57)【特許請求の範囲】
【請求項１】
少なくとも第１配線層と第２配線層が絶縁層を介して積層された多層配線層と、
前記第１配線層と第２配線層を電気的に接続する接続ビアと
を有し、前記接続ビアは、第１金属の粒子の集合体である内部導体と、前記接続ビアの長さの全体にわたって前記内部導体を覆う第２金属の接合膜とを含み、
前記第２金属は、前記第１金属の粒子の表面皮膜を構成していた前記第１金属と異なる種類の金属と、前記第１金属の融点よりも低くかつ前記第１金属と異なる種類の金属の融点よりも低い融点の低融点金属とが拡散した膜である
ことを特徴とする多層配線基板。
【請求項２】
前記第２金属の融点は、前記第１金属の融点よりも低いことを特徴とする請求項１に記載の多層配線基板。
【請求項３】
前記第１金属は、銅（Ｃｕ）または銅合金であり、前記第２金属は、錫（Ｓｎ）または錫合金を主成分とすることを特徴とする請求項１に記載の多層配線基板。
【請求項４】
前記第１金属の粒子の直径は、５μｍ〜１５μｍであることを特徴とする請求項１に記載の多層配線基板。
【請求項５】
前記第１金属と異なる種類の金属として、金（Ａｕ）または銀（Ａｇ）が前記第２金属の接合膜中に拡散していることを特徴とする請求項１〜４のいずれかに記載の多層配線基板。
【請求項６】
第１の絶縁層上に配線パターンを形成する工程と、
前記配線パターンのうち、ビア接続されるランド部分に、低融点金属膜を形成する工程と、
第２の絶縁層に第１のビア孔を形成し、前記第１のビア孔に、第１金属の粒子の表面を前記第１金属と異なる金属で皮膜した金属粒子を充填する工程と、
前記第１の絶縁層と前記第２の絶縁層を重ね合わせて、前記第１のビア孔に充填された前記金属粒子と前記ランド上の前記低融点金属膜とを接触させ、前記低融点金属を前記第１のビア孔の長さ全体にわたって前記金属粒子の前記皮膜中に拡散させることによって、前記配線パターンを前記第１のビア孔に接続する工程と、
を含み、前記低融点金属の融点は、前記第１金属の融点及び前記皮膜を構成する前記第１金属と異なる金属の融点よりも低いことを特徴とする多層配線基板の作製方法。
【請求項７】
前記金属粒子の前記皮膜は、金（Ａｕ）または銀（Ａｇ）の皮膜であることを特徴とする請求項６に記載の多層配線基板の作製方法。
【請求項８】
前記低融点金属膜を、錫または錫合金で形成することを特徴とする請求項６に記載の多層配線基板の作製方法。
【請求項９】
前記拡散接続する工程は、２００℃での真空プレスを含むことを特徴とする請求項６に記載の多層配線基板の作製方法。
【請求項１０】
前記第１の絶縁層上の配線パターンは片面配線パターンであり、
前記第１の絶縁層に、前記ランド部分に到達する第２のビア孔を形成する工程と、
前記第２のビア孔に、前記金属粒子を充填する工程と
をさらに含むことを特徴とする請求項６に記載の多層配線基板の作製方法。
【発明の詳細な説明】
【技術分野】
【０００１】
本発明は、多層配線基板とその作製方法に関し、特に、異なる層に形成される配線パターンをインタスティシャル・ビアホール（ＩＶＨ：Interstitial ViaHole）で接続する多層配線基板と、その作製方法に関する。
【背景技術】
【０００２】
近年、ＬＳＩの微細化と高速・高周波化が進んでいる。ＬＳＩを実装するパッケージ基板にも、高密度可化と並んで、高速伝送に適した材料や構造が求められている。これまでは、高密度実装を行うために、パッケージ基板ではビルドアップ多層配線を形成したプリント基板を適用してきた。しかし、更なる配線の高密度化を行うには、配線層数を増やす必要がある。現状のビルドアップ基板では、一層ごとに作り込んでいくシーケンシャルな製造プロセスであるため、手番が長く、コストアップに繋がる。そのため、各層の配線をパラレルに形成した後に、一括で積層して手番を短縮する工法が有望である。
【０００３】
このような一括積層で製造される基板では、特定の層間のみを接続するインタスティシャル・ビアホール（ＩＶＨ：Interstitial Via-hole）を形成することが必須である。多層ＩＶＨ基板では、一括積層時に層間の導通を図る。従来から、積層基板間の導通を図る方法として、接着剤を硬化させる導電性ペーストを充填するタイプのもの、低融点金属を用いて拡散接合するもの、金属コアボールにはんだめっきをして充填するものが知られている。
【０００４】
また、ビア内の導体同士または層間接続方法として、金属粒子をパルス通電により焼結させ、ビア内の粒子同士の接続や、ランドとの層間接続を図る方法が提案されている（たとえば、特許文献１〜３参照）。さらに、スルーホールを形成した後、中央の孔中に、孔径と同様の直径を持つ金属球を充填する方法も知られている（たとえば、特許文献２参照）。
【０００５】
上述した従来方法のうち、接着剤を硬化させる導電性ペーストを充填するタイプのものは、一括積層される多層ＩＶＨ基板の接続が接着のみで行われるため、接続の信頼性に欠けていた。
【０００６】
低融点金属を用いて拡散接合する方法では、基板の熱処理温度は、プリプレグの積層温度となるところ、ほとんどの場合が２００℃前後であるため、ビアに充填する低融点金属も、融点が２００℃前後のものを用いることとなる。しかし、チップ実装時に印加される鉛フリーはんだ材料のリフロー温度である２６０℃で再溶融してしまい、銅ランドの溶食や基板反りに起因する断線などの問題が生じる。
【０００７】
金属コアボールにはんだをめっきして充填する方法は、ボール表面のはんだめっき厚さのコントロールが困難であり、特にボール径が小さい場合はめっき厚さを制御できず、厚くなってしまう。この場合、接合後の加熱プロセス時にはんだが再溶融し、接合信頼性に欠ける。また、ボールを充填するために、ボール径よりも数倍以上大きな孔としなければならず、ビア孔の微細化が困難である。
【０００８】
金属粒子をパルス通電して焼結させ、ビア内の粒子同士の接続ならびにランドとの層間接続を行う方法（特許文献１〜３）では、粒子同士の接触部分がネッキング（点接触）するだけであり、導体抵抗が大きくなってしまう。また、パルス通電を行うには、配線を経てビアに通電させるため、ビアより細い配線の場合、通電によるジュール熱で発熱し、ビアに所望の電流を印加できない場合がある。また、配線が焼き切れてしまう場合もあるため、配線形成に制限が生じる。
【０００９】
スルーホールを形成した後、中央の孔中に孔径と同様の直径を持つ金属球を充填する方法（特許文献４参照）では、ビア孔と同じ直径を持つ金属球を選定して充填するため、コストと手番がかかり、工業的な手法とは言えない。
【特許文献１】特開平１１−１８６６８０号公報
【特許文献２】特開２０００−２２３８３６号公報
【特許文献３】特開平１１−２５１７５１号公報
【特許文献４】特開平３−０８７０９０号公報
【発明の開示】
【発明が解決しようとする課題】
【００１０】
そこで、多層ＩＶＨ基板において、十分な接触面積を確保して低抵抗接合を実現し、一括積層後の熱処理においても再溶融することなく、接続の信頼性を向上することのできる多層配線基板とその作製方法を提供することを課題とする。
【課題を解決するための手段】
【００１１】
上記課題を解決するため、本発明では、多層配線を層間接続するためのビア孔内に、表面にＡｕまたはＡｇを成膜した良導体（Ｃｕ等）の金属粒子を充填し、この金属粒子とランド表面に成膜した低融点金属（Ｓｎ等）を積層時に接触させて、低融点金属を金属粒子の表面に拡散させることにより、層間接続を行う。低融点金属として、Ｓｎ-Ｂｉ-Ａｇ系はんだ等を用いることができる。
【００１２】
具体体には、本発明の第１の側面では、多層配線基板は、少なくとも第１配線層と第２配線層が絶縁層を介して積層された多層配線層と、前記第１配線層と第２配線層を電気的に接続する接続ビアとを有し、前記接続ビアは、
（ａ）第１の金属粒子の集合体である内部導体と、
（ｂ）前記内部導体を覆う第２の金属膜と
で構成される。
【００１３】
良好な実施例において、第２の金属膜の融点は、第１の金属粒子の融点よりも低い。たたえば、第１の金属粒子は、銅（Ｃｕ）または銅合金であり、第２の金属膜は、錫（Ｓｎ）または錫合金を主成分とする。
【００１４】
本発明の第２の側面では、多層配線基板の作製方法を提供する。この方法は、
（ａ）第１の絶縁層上に配線パターンを形成する工程と、
（ｂ）前記配線パターンのうち、ビア接続されるランド部分に、低融点金属膜を形成する工程と、
（ｃ）第２の絶縁層にビア孔を形成し、前記ビア孔に金属粒子を充填する工程と、
前記第１の絶縁層と第２の絶縁層を重ね合わせて、前記ビア孔に充填された金属粒子とランド上の低融点金属膜とを接触させ、前記低融点金属を前記ビア孔内の金属粒子表面に拡散させることによって、前記配線パターンを前記ビア孔に接続する工程と、
を含む。
【発明の効果】
【００１５】
上述した構成および方法では、配線ルールに制限がなく、また、ビア内の粒子同士を低融点金属の拡散で接合するため、面接触となり、低抵抗接合を実現することができる。
【００１６】
また、ビアに充填した金属粒子の表面に低融点金属が拡散して入り込むので、アンカー効果が発現し、接続信頼性を向上させることができる。
【発明を実施するための最良の形態】
【００１７】
以下、図面を参照して、本発明の実施形態に係る多層配線基板と、その作製方法を説明する。
【００１８】
図１は、本発明の基本構成を説明するための概略図である。多層配線基板１は、たとえば、第１多層配線層１０と第２多層配線層３０を、接続層２０で接続する。接続層２０には、レーザ等によりビア孔（付図示）が形成されており、ビア孔内には、表面に金（Ａｕ）または銀（Ａｇ）を成膜した良電導の金属粒子２２が充填されている。図１の例では、銅（Ｃｕ）粒子を金（Ａｕ）でコートしたものを用い、便宜上、ＡｕコートＣｕボール２２と称する。ＡｕコートＣｕボールの直径は、５μｍ〜１５μｍ、平均粒径は約１０μｍである。
【００１９】
一方、第１多層配線層１０および第２多層配線層３０は、それぞれ絶縁樹脂層１１，３１上に形成された配線パターン１２，３２を有する。配線パターン１２、３２上の、ビア接続を行う部分がランド１２，３２となる。ランド１２、３２の表面に、錫（Ｓｎ）に代表される低融点金属膜１３，３３が形成されている。低融点金属膜１３，３３は、たとえばＳｎ−Ｂｉ−Ａｇ系はんだ膜である。
【００２０】
積層時に、ビア孔に充填された金属粒子（ＡｕコートＣｕボール）２２と、Ｓｎ系低融点金属膜１３、３３を接触させて低温加熱する。これにより、低融点金属１３，３３が金属粒子２２の表面に拡散して、電気的に層間接続を行う。すなわち、図１の右図に示すように、第１多層配線層１０のランド１３と、第２多層配線層３０のランド３３とが、接合ビア２５で層間接続される構造となる。接合ビア２５は、内部がＣｕ等の良電導体の金属粒子、その表面がＳｎ等の低融点金属に表面皮膜を構成していたＡｕが拡散した接合膜となっている。また、Ｃｕ粒子の一部表面は、Ｓｎ等の低融点金属との合金（Ｃｕ−Ｓｎ）を構成する。
【００２１】
この構成では、パルス通電の必要がないので、配線ルールに制限がない。また、ビア内の金属粒子同士の接合を金属粒子表面に拡散してきた低融点金属で行うため、面接触となり、低抵抗の接合を実現できる。
【００２２】
さらに、電気的に層間接続を行う低融点金属１３，３３が、ランド１２，３２と同じ面積にあるため、接合ビア２５とランド１２，３２との接続界面が大きくなる。しかも、ビア孔に充填した金属粒子は凹凸を構成し、ランドに形成した低融点金属１３，３３がその凹凸に入り込んで密着力を高めるというアンカー効果が発現し、接続の信頼性を向上することができる。
【実施例１】
【００２３】
図２〜図５を参照して、図１の手法を用いた実施例１を説明する。実施例１では、両面多層配線層をＩＶＨ接合する。図２および図３は、両面多層配線層１０（または３０）の作製工程を、図４は接合層２０の作製工程を、図５はこれらの接合工程を示す。
【００２４】
まず、図２（ａ）に示すように、サイズ３４０×５１０ｍｍ、厚さ６０μｍのプリプレグ５１の両面に、厚さ１８μｍの電解銅箔５２を真空プレス（２００℃、３ＭＰａ）によって貼り付け、両面銅張板を作製する。
【００２５】
次に、図２（ｂ）に示すように、いわゆるサブトラクティブ法で両面にＬ／Ｓ＝５０／５０μｍの配線パターン５２ｐを形成する。具体的には、銅箔５２にドライフィルムレジスト（ＤＦＲ）をラミネートし、露光・現像によりパターニングを行ってエッチングマスク（付図示）を形成する。銅箔５２を、塩化鉄を含むエッチャントでウェットエッチングした後、ＤＦＲを剥離して、配線パターン５２ｐを形成する。
【００２６】
次に、図２（ｃ）に示すように、裏面にＤＦＲをラミネートして保護層５５を形成してから、プリプレグ５１の所定の位置に、表面側より炭酸ガスレーザによってブラインドビアとなる直径１００μｍのビア孔５６を開口する。
【００２７】
次に、図２（ｄ）に示すように、デスミア後、無電解銅めっきを行い、表面にシード層５７を形成する。
【００２８】
次に、図３（ｅ）に示すように、シード層５７上にＤＦＲ５８をラミネートし、ビア孔５６を露出させる開口５９が形成されるようにパターニングを行う。
【００２９】
次に、図３（ｆ）に示すように、ビア孔５６内に、電解銅めっきによって充填ビア６２を形成する。
【００３０】
次に、図３（ｇ）に示すように、表面および裏面のＤＦＲ５８，５５を剥離し、めっきシード層５７をエッチングして、配線パターン５２ｐ、６２を完成させる。
【００３１】
最後に、図３（ｈ）に示すように、スクリーン印刷により、ビア接続を行うランド６２上にＳｎ-Ｂｉを主成分とするはんだペースト６３を印刷する。これにより、ビア接続部分に、導体層２層分のレイヤ６２，６３を形成する。なお、両面多層配線層１０または３０には、たとえばレーザ加工時に、図示しない位置に、貼り合わせ用のアライメントマークが形成されている。
【００３２】
図４は、接続層の作製工程を示す。まず、図４（ａ）に示すように、厚さ６０μｍのプリプレグ２１を準備し、図４（ｂ）に示すように、プリプレグ２１の両面に、ＰＥＴの保護フィルム２３を貼り付ける。
【００３３】
次に、図４（ｃ）に示すように、炭酸ガスレーザによって直径１００μｍの貫通孔２４を開口する。
【００３４】
次に、図４（ｄ）に示すように、貫通孔２４内に、表面にＡｕコートがされたＣｕ粒子２２をスキージングで充填する。Ｃｕ粒子の表面は、無電解Ａｕめっきが約０．０７μｍの膜厚で成膜されており、Ｃｕ粒子の平均粒径は約１０μｍである。
【００３５】
最後に、図４（ｅ）に示すように、両面のＰＥＴフィルム２３を剥離して、接合層２０を完成する。接合層２０にも、図示しない位置に、レーザ加工により貼り合わせ用のアライメントマークが形成されている。
【００３６】
図５は、図２および図３で作製した両面多層配線層１０，３０を、図４で作製した接合層２０によって積層一体化する工程を示す。まず、図５（ａ）に示すように、各シート、すなわち両面多層配線層１０，３０および接合層２０に形成したアライメントマーク（不図示）を用い、セラミックシートを積層する認識積層装置を用いて、位置合わせを行う。
【００３７】
次に、図５（ｂ）に示すように、１２０℃、１ＭＰａで仮積層を行う。この段階で、任意の層数で積層できる。実施例では、位置合わせを繰り返して配線層が３０層となるように積層を行った。（図４では、２層のみを図示している。）
その後、図５（ｃ）に示すように、真空プレスを用いて２００℃、３ＭＰａで本積層して、多層配線基板１Ａを完成する。この低温真空プレスで、ランド５２ｐ、６２上に形成されたＳｎ−Ｂｉはんだ６３が、Ｃｕ粒子２２の表面に拡散して、Ｃｕ粒子間を密着接合するとともに、ランド５２ｐ、６２を電気接続する接合ビア６５が形成される。接合ビア６５の内部はＣｕ粒子であるが、その表面は、Ａｕ中にＳｎ、Ｂｉが拡散した低融点金属膜である。
【００３８】
なお、図示はしないが、実際の製品への適用では、多層配線基板１Ａの表面に、公知の手法で表面電極を形成し、パッケージサイズに切断する。たとえば、多層配線基板１の両面に、ソルダーレジストを成膜してフォトリソプロセスで電極部分を開口し、開口内に、Ｎｉ−Ｐを３μｍ、Ａｕを０．１μｍ無電解めっきで形成して、表面電極を形成することができる。切断したパッケージ基板に、厚さ３ｍｍのＬＳＩチップをはんだ接合し、チップと基板の間を絶縁樹脂で封止し、スティフナとヒートシンクを取り付けて半導体パッケージが完成する。
【実施例２】
【００３９】
図６〜８を参照して、実施例２を説明する。実施例２では、片面配線層を接合して多層配線基板を作製する。
【００４０】
まず、図６（ａ）に示すように、サイズ３４０×５１０ｍｍ、厚さ０．０８ｍｍのプリプレグ７１の片面に、厚さ１８μｍの電解銅箔７２を真空プレスによって貼り付け、片面銅張板を作製する。
【００４１】
次に、図６（ｂ）に示すように、銅箔７２に図示しないドライフィルムレジスト（ＤＦＲ）をラミネートし、露光・現像してパターニングを行い、銅箔をウェットエッチングした後、ＤＦＲを剥離して、いわゆるサブトラクティブ法でＬ／Ｓ＝５０／５０μｍの配線パターン７２ｐを形成する。この配線パターン７２ｐは、ビア接続用のランドとなる。
【００４２】
次に、図６（ｃ）に示すように、上述したシートのパターン形成面と逆側の面に、厚さ３０μｍの半硬化（Ｂステージ）のエポキシ樹脂シート７４を真空ラミネータによって貼り付ける。エポキシ樹脂シート７４の表面に、さらにＰＥＴフィルム７５を貼り付ける。このＰＥＴフィルム７５が、後続の工程における保護フィルムとなる。
【００４３】
次に、図６（ｄ）に示すように、ＰＥＴ７５の側から、裏面配線パターン７２ｐのランドに到達する直径１００μｍのビア孔７７を、炭酸ガスレーザを用いて形成する。図示はしないが、このとき、貼り合わせ用のアライメントマークを形成してもよい。
【００４４】
次に、図７（ｅ）に示すように、配線パターン７２ｐのランド上に、スクリーン印刷により、Ｓｎ-Ｂｉを主成分とするはんだペースト７３を印刷する。
【００４５】
次に、図７（ｆ）に示すように、ビア孔７７に、表面をＡｕコートしたＣｕ粒子２２を、スキージングで充填する。Ｃｕ粒子の表面には、無電解Ａｕめっきが約０．０７μｍの膜厚で成膜されており、Ｃｕ粒子の平均粒は約１０μｍである。
【００４６】
次に、図７（ｇ）に示すように、ＰＥＴフィルム７５を剥離し、各層毎に配線パターン７２ｐの形成とビア材料２２の充填を終えた片面配線シートを作製する。
【００４７】
図８は、図６および図７で形成した片面多層配線シートを積層一体化する工程を示す。まず、図８（ａ）に示すように、上記した各片面多層配線シートに形成したアライメントマークを用い、セラミックシートを積層する認識積層装置を用いて、位置合わせを行う。
【００４８】
次に、図８（ｂ）に示すように、１２０℃、１ＭＰａで仮積層を行う。任意の層数で積層できるが、ここでは位置合わせを繰り返して３０層の積層を行う。
【００４９】
最後に、図８（ｃ）に示すように、真空プレスを用いて２００℃、３ＭＰａで本積層して、多層配線基板１Ｂが完成する。低温真空プレスにより、ランド７２ｐ上に形成されたＳｎ−Ｂｉはんだ７３が、Ｃｕ粒子２２の表面のＡｕ膜内に拡散して、Ｃｕ粒子間を密着接合するとともに、ランド７２ｐを電気接続する接合ビア７５が形成される。接合ビア７５の内部はＣｕ粒子であるが、その表面は、Ａｕ中にＳｎ、Ｂｉが拡散接合した低融点金属膜である。
【００５０】
図示はしないが、実際の製品への適用では、さらに、多層配線基板１Ｂの両面にソルダーレジストを成膜してフォトリソプロセスで電極部分を開口し、これにＮｉ−Ｐを３μｍ、Ａｕを０．１μｍ無電解めっきで成膜して、表面電極を形成する。これをパッケージサイズに切断してパッケージ基板とする。パッケージ基板に、厚さ０．３ｍｍのＬＳＩチップをはんだ接合し、チップと基板の間を絶縁樹脂で封止し、スティフナとヒートシンクを取り付けて半導体パッケージが完成する。
【００５１】
図９は、本発明の効果を説明するための図である。本発明の手法により、Ｃｕ粒子表面のＡｕコートに低融点金属を拡散させて密着接合した接合ビアのビア内の金属含有量（ｖｏｌ％）と、見かけの比抵抗（Ω・ｃｍ）を測定した。比較例として、従来技術（特許文献１）のようにビア孔に充填した金属粒子をパルス通電で焼結させた接合ビアのビア内金属含有量と見かけの比抵抗を算出した。
【００５２】
特許文献１では、ビア内の金属成分が６０ｖｏｌ％と換算される。そして、特許文献１では、金属粒子は点接触でビア内に存在し、この接触面積比は粒子径の０．１〜０．９である。ビア内でのＣｕ粒子がマトリックスとして構成できる体積比は５０％以上である。それよりも焼結を進行させてしまうと、金属粒子が分散してしまい、点接触となる。このため、比抵抗が大きくなり、最小の比抵抗が６．１Ω・ｃｍと、理論値の３．６倍となる。
【００５３】
これに対し、実施例１または２で、ビア内に充填される最終的な金属ペーストの量は１００ｖｏｌ％であり、実施例でのビア導体の比抵抗は、３Ω・ｃｍと約１／２であり、ビア抵抗が半分に低減されることがわかる。
【００５４】
さらに、特許文献１では、ビア内の導体の割合が６０％であるため、ビアとランドの接触面積も６０％にしかならず、接続強度も実施例の０．６倍程度しか得られない。これに対し、実施例１および２では、ビアとランドの接触面積が１００％であり、基板厚さ方向の引張応力に対して十分な機械的強度を備える。
【００５５】
以上のように、実施例では、ビア導体抵抗が従来よりも半減した低抵抗ビアが形成でき、かつ、基板厚さ方向の引張応力に対して、接続強度が１．５倍以上となるため、電気的にも機械的にもビア接続の信頼性が格段に向上した多層配線基板を得ることができる。
【００５６】
なお、実施例では、低融点金属ペーストにＳｎ−Ｂｉを用いたが、これに限定されず、たとえば、Ｓｎに、Ｐｂ、Ｚｎ、Ａｇ等を添加したものを用いてもよい。
【００５７】
また、実施例では、ビア孔の直径を１００μｍとしたが、それ以下の直径、たとえば５０μｍのビア孔をレーザドリルで形成してもよい。この場合、充填する金属粒子の平均径を５μｍ程度とするのが望ましい。
【００５８】
また、金属粒子に施すＡｕコートの膜厚も、０．０３μｍ〜０．１μｍの範囲で適宜選択することができる。
【００５９】
最後に、以上の記載に対して、以下の付記を添付する。
（付記１）  少なくとも第１配線層と第２配線層が絶縁層を介して積層された多層配線層と、
前記第１配線層と第２配線層を電気的に接続する接続ビアと
を有し、前記接続ビアは、第１の金属粒子の集合体である内部導体と、前記内部導体を覆う第２の金属膜とで構成されることを特徴とする多層配線基板。
（付記２）  前記第２の金属膜の融点は、前記第１の金属粒子の融点よりも低いことを特徴とする付記１に記載の多層配線基板。
（付記３）  前記第１の金属粒子は、銅（Ｃｕ）または銅合金であり、前記第２の金属膜は、錫（Ｓｎ）または錫合金を主成分とすることを特徴とする付記１に記載の多層配線基板。
（付記４）  前記第２の金属膜を構成する錫合金は、錫（Ｓｎ）に、Ｂｉ，Ｐｂ，Ｚｎ，Ａｇの少なくとも１種類の金属元素が添加されていることを特徴とする付記３に記載の多層配線基板。
（付記５）  前記第１の金属粒子の直径は、５μｍ〜１５μｍであることを特徴とする付記１に記載の多層配線基板。
（付記６）  前記第２の金属膜には、金（Ａｕ）が拡散していることを特徴とする付記１〜５のいずれかに記載の多層配線基板。
（付記７）  前記絶縁層は、樹脂絶縁層であることを特徴とする付記１に記載の多層配線基板。
（付記８）  第１の絶縁層上に配線パターンを形成する工程と、
前記配線パターンのうち、ビア接続されるランド部分に、低融点金属膜を形成する工程と、
第２の絶縁層にビア孔を形成し、前記ビア孔に金属粒子を充填する工程と、
前記第１の絶縁層と第２の絶縁層を重ね合わせて、前記ビア孔に充填された金属粒子とランド上の低融点金属膜とを接触させ、前記低融点金属を前記ビア孔内の金属粒子表面に拡散させることによって、前記配線パターンを前記ビア孔に接続する工程と、
を含むことを特徴とする多層配線基板の作製方法。
（付記９）  前記金属粒子は、その表面に金（Ａｕ）または銀（Ａｇ）の皮膜を有することを特徴とする付記８に記載の多層配線基板の作製方法。
（付記１０）  前記低融点金属膜を、錫または錫合金で形成することを特徴とする付記８に記載の多層配線基板の作製方法。
（付記１１）  前記拡散接続する工程は、２００℃での真空プレスを含むことを特徴とする付記８に記載の多層配線基板の作製方法。
（付記１２）  前記第１の絶縁膜上の配線パターンは片面配線パターンであり、
前記第１の絶縁層に、前記ランド部分に到達する第２のビア孔を形成する工程と、
前記第２のビア孔に、前記金属粒子を充填する工程と
をさらに含むことを特徴とする付記８に記載の多層配線基板の作製方法。
（付記１３）  前記金属粒子の平均直径は１０μｍ以下であることを特徴とする付記８に記載の多層配線基板の作製方法。
【図面の簡単な説明】
【００６０】
【図１】本発明の基本構成を説明するための図である。
【図２】実施例１における両面多層配線層の作製工程図（その１）である。
【図３】実施例１における両面多層配線層の作製工程図（その２）である。
【図４】実施例１における接続層の作製工程図である。
【図５】実施例１における積層一体化の工程を示す図である。
【図６】実施例２における片面配線層の作製工程図（その１）である。
【図７】実施例２における片面配線層の作製工程図（その２）である。
【図８】実施例２における積層一体化の工程を示す図である。
【図９】本発明の効果を示す図である。
【符号の説明】
【００６１】
１  多層配線基板
１０、３０  多層配線層
１１、２１、３１、５１，７１  絶縁層
１２、３２、５２ｐ、６２、７２ｐ  配線パターン（ランド）
１３、３３、６３、７３  低融点金属
２０  接着層
２２  ＡｕコードＣｕ粒子（金属粒子）
２５、６５、７５  接合ビア
【図１】
0005114858.tif 000002
【図２】
0005114858.tif 000003
【図３】
0005114858.tif 000004
【図４】
0005114858.tif 000005
【図５】
0005114858.tif 000006
【図６】
0005114858.tif 000007
【図７】
0005114858.tif 000008
【図８】
0005114858.tif 000009
【図９】
0005114858.tif 000010